(57)【要約】      （修正有）【課題】保護シートに付着した化粧料で周囲を汚したり、保護シートを紛失したりすることのない中皿装置を提供する。【解決手段】金皿１と、この金皿１の上面を覆う保護シート４と、上記金皿１を収容する薄形容器３とを備えている。そして、この薄形容器３に保護シート４を起伏自在に連結し、上記保護シート４を倒伏させて保護シート４で金皿１の上面を覆う状態と、上記保護シート４を起立させて金皿１の上面を露呈させる状態とに切り換え可能にしている。【選択図】図２
2005118298.tif 000002
【特許請求の範囲】
【請求項１】
化粧料収容皿と、この化粧料収容皿の上面を覆う保護シートと、上記化粧料収容皿を収容する皿状薄形容器とを備え、この皿状薄形容器に保護シートを起伏自在に連結し、上記保護シートを倒伏させて保護シートで化粧料収容皿の上面を覆う状態と、上記保護シートを起立させて化粧料収容皿の上面を露呈させる状態とに切り換え可能にしたことを特徴とする中皿装置。
【請求項２】
上記皿状薄形容器の周側壁の上端部から内向きに舌片を下方に折り曲げ自在に突出形成し、上記舌片に対応する上記化粧料収容皿の外周面の部分に、上記舌片に着脱自在に係合する凹部を形成し、上記皿状薄形容器の上方から化粧料収容皿を皿状薄形容器内に押し込むことにより、上記化粧料収容皿の外周面の凹部に皿状薄形容器の舌片を着脱自在に係合させた状態で、上記皿状薄形容器に化粧料収容皿を収容するように構成した請求項１記載の中皿装置。
【請求項３】
上記皿状薄形容器およびこれに連結する保護シートが、熱可塑性薄肉樹脂シートを用い、真空成形もしくは圧空成形により一体成形されたものである請求項１または２記載の中皿装置。
【発明の詳細な説明】
【技術分野】
【０００１】
本発明は、中皿装置に関するものである。
【背景技術】
【０００２】
従来から、ファンデーション等の各種化粧料を収容して携帯するコンパクト容器として、図１９に示すようなコンパクト容器が出回っている。このコンパクト容器は、上面に凹嵌部３１ａおよび小物入れ部３１ｂが形成された受皿部本体３１と、この受皿部本体３１の上面を蓋する蓋体３２とからなり、上記受皿部本体３１の凹嵌部３１ａに、化粧料３４が充填収容された化粧料用中皿３３を装着するとともに、小物入れ部３１ｂにパフ３５等の小物を収容し、また、蓋体３２の内側面に鏡３６を取り付けるようにしている。そして、蓋体３２を閉じた際に化粧料３４が鏡３６に付着するのを防止するするため、化粧料３４上に仕切シート３７を載置している（例えば、特許文献１参照）。図において、３８は上記仕切シート３７の下面に接合されるクッションプレートである。
【特許文献１】特開２００２−２２３８４３号公報
【発明の開示】
【発明が解決しようとする課題】
【０００３】
しかしながら、上記のコンパクト容器では、化粧料３４上に仕切シート３７を載置しているため、使用時に、仕切シート３７を化粧料３４上からコンパクト容器の周囲の他部に移動させなければならず、この移動中に仕切シート３７から化粧料３４が落下してコンパクト容器の周囲を汚したり、上記他部に化粧料３４が付着したりするという問題がある。しかも、使用後に上記他部に移動させた仕切シート３７をコンパクト容器に戻し忘れる等して仕切シート３７を紛失することもある。
【０００４】
本発明は、このような事情に鑑みなされたもので、保護シートに付着した化粧料で周囲を汚したり、保護シートを紛失したりすることのない中皿装置の提供をその目的とする。
【課題を解決するための手段】
【０００５】
上記の目的を達成するため、本発明の中皿装置は、化粧料収容皿と、この化粧料収容皿の上面を覆う保護シートと、上記化粧料収容皿を収容する皿状薄形容器とを備え、この皿状薄形容器に保護シートを起伏自在に連結し、上記保護シートを倒伏させて保護シートで化粧料収容皿の上面を覆う状態と、上記保護シートを起立させて化粧料収容皿の上面を露呈させる状態とに切り換え可能にしたという構成をとる。
【発明の効果】
【０００６】
すなわち、本発明の中皿装置は、化粧料収容皿を収容する皿状薄形容器に、上記化粧料収容皿の上面を覆う保護シートを起伏自在に連結している。そして、上記保護シートを倒伏させて保護シートで化粧料収容皿の上面を覆う状態と、上記保護シートを起立させて化粧料収容皿の上面を露呈させる状態とに切り換え可能にしている。したがって、本発明の中皿装置では、使用時に、倒伏させていた保護シートを起立させるだけで化粧料収容皿の上面を露呈させることができ、このとき、保護シートから化粧料が落下してコンパクト容器の周囲を汚すことが殆どない。しかも、化粧料収容皿を収容する皿状薄形容器に保護シートを連結しているため、この保護シートを紛失することもない。
【０００７】
また、上記皿状薄形容器の周側壁の上端部から内向きに舌片を下方に折り曲げ自在に突出形成し、上記舌片に対応する上記化粧料収容皿の外周面の部分に、上記舌片に着脱自在に係合する凹部を形成し、上記皿状薄形容器の上方から化粧料収容皿を皿状薄形容器内に押し込むことにより、上記化粧料収容皿の外周面の凹部に皿状薄形容器の舌片を着脱自在に係合させた状態で、上記皿状薄形容器に化粧料収容皿を収容するように構成すると、上記化粧料収容皿を皿状薄形容器に簡単に収容することができる。
【０００８】
また、上記皿状薄形容器およびこれに連結する保護シートが、熱可塑性薄肉樹脂シートを用い、真空成形もしくは圧空成形により一体成形されたものであると、上記皿状薄形容器および保護シートを同時に作製することができ、作製の手間が少なくなる。しかも、上記皿状薄形容器が緩衝作用を有し、これに振動や衝撃等が作用しても、これを皿状薄形容器で緩衝して化粧料収容皿を保護することができる。
【発明を実施するための最良の形態】
【０００９】
つぎに、本発明の実施の形態を図面にもとづいて詳しく説明する。
【００１０】
図１および図２は本発明の中皿装置の一実施の形態を示している。これらの図において、１は固形状化粧料２が充填された金皿（化粧料収容皿）であり、３は上記金皿１が載置, 収容された上面開口型の薄形容器（皿状薄形容器）であり、４は金皿１の上面を覆う保護シートである。上記金皿１には、図３および図４に示すように、その周側壁の外周面の左右両側および前後両側に、後述する薄形容器３の舌片１３に着脱自在に係合する凹溝１ａが形成されている。
【００１１】
上記薄形容器３および保護シート４は、熱可塑性樹脂（例えば、ＰＥＴ樹脂）製薄肉シート（厚みは、０．３〜１．５ｍｍ程度）を真空成形して皿状体（薄形容器３を構成する）と平板状体（保護シート４を構成する）とを一連につなげてなる一体成形品として形成されたものである。この一体成形品は、図５および図６に示すように、上記金皿１が載置される略四角形状の底壁１１と、この底壁１１の外周縁部から立設された略四角形枠状の周側壁１２と、この周側壁１２の左右両側壁および前後両側壁の上端面中央（上記金皿１の４つの凹溝１ａに対応する位置）から、この上端面中央に直行する方向に折り曲げ自在に突出形成された４つの舌片１３（左右両側壁の舌片１３同士および前後両側壁の舌片１３同士は互いに相対向している）と、上記周側壁１２の左側壁の上端面から、上記舌片１３を挟むようにして外側に延びる一対の連結片４ａと、これら両連結片４ａに連結される略四角形平板状の保護シート４とを備えており、これらのうち、底壁１１と周側壁１２と４つの舌片１３とで上記薄形容器３が構成されている。
【００１２】
上記底壁１１には、その中央部を上向きに折り曲げ形成することにより略四角形状の凸部１１ａが突設されており、この凸部１１ａの平板状の天井壁上に上記金皿１が載置されている（図２参照）。また、上記周側壁１２には、その左右両側壁および前後両側壁の下端部中央（すなわち、上記４つの舌片１３の真下位置）を外向きに折り曲げ形成することにより係合凸部（係合部）１４が突設されている。
【００１３】
上記各舌片１３は、成形時には、上記周側壁１２の左右両側壁および前後両側壁の上端面中央から外向きに伸びた状態で成形されており（図７および図８参照）、かつ、上記上端面中央から、これに直行する方向に折り曲げ自在に成形されている。そして、使用時には、図５および図６に示すように、上記各舌片１３を内向きに折り曲げることを行う。また、この状態で、薄形容器３の上方から金皿１を押し込むと、上記各舌片１３が金皿１の各凹溝１ａに係合するようにしている。このような薄形容器３の大きさは、固形状化粧料２が充填されていない金皿１（すなわち、後述する打型前の金皿１）の寸法に、打型時の金皿１の外側への膨らみ量、および後述する取付時の係合凸部１４の内側への逃がし量を足した寸法と同じか、もしくはそれ以上に設定されている。
【００１４】
また、上記両連結片４ａは、その長手方向中央部から左右方向に折り曲げ可能であり、これにより、薄形容器３に対し保護シート４が起伏自在に（この実施の形態では、回動自在に）連結されている。そして、上記保護シート４を内側に倒伏させる（回動させる）ことにより、この保護シート４で金皿１の上面を覆う閉蓋状態にすることができ、また、この閉蓋状態から上記保護シート４を起立させる（外側に回動させる）ことにより、金皿１の上面を露呈させる（すなわち、金皿１に充填した固形状化粧料２を外部に露呈させてこの固形状化粧料２を使用できる）開蓋状態に切り換えることができるようにしている。
【００１５】
上記の構成において、固形状化粧料２が充填された金皿１を薄形容器３に載置, 収容する（すなわち、中皿装置を組み付ける）場合には、まず、保護シート４を起立させ、かつ、図７および図８に示す薄形容器３の各舌片１３を内向きに折り曲げ（図５および図６参照。これら図５および図６では、保護シート４を外側に倒伏させている）、その状態で、金皿１を薄形容器３の上方に配設し、そのまま薄形容器３内に押し込む（図９および図１０参照）ことを行う。これにより、上記各舌片１３が下側に折り曲げられて下向きに傾斜しながら、金皿１の各凹溝１ａに係合し（図２参照）、この係合で金皿１が薄形容器３の上方へ抜け出すのを防止できる。このとき、金皿１に固形状化粧料２を充填する（すなわち、金皿１に化粧料２を打型する）際に、金皿１の一部が膨らんでいても、この金皿１と薄形容器３との間には、所定の隙間が設けられているため、金皿１を薄形容器３に載置, 収容することができる。
【００１６】
また、上記金皿１を載置, 収容した薄形容器３を、つぎのようにしてコンパクト容器の容器本体５に収容, 固定することができる。このコンパクト容器は、図１１に示すように、上面に化粧料収容凹部５ａとパフ収容凹部５ｂ（パフは図示せず）が形成された容器本体５と、この容器本体５の後端部にヒンジ連結された蓋体６とからなり、上記容器本体５の化粧料収容凹部５ａの左右両側壁および前後両側壁にコ字状の切り欠き部を、そのコ字状の開口部分を下側に向けた状態で形成し、この切り欠き部で囲まれた部分を弾性片７（前側および右側の弾性片７は隠れて見えない）としている。そして、これら４つの弾性片７の下端部に係合突条７ａ（被係合部）が形成されており、各弾性片７の下側空間に上記薄形容器３の各係合凸部１４を入り込ませた状態で、上記各係合凸部１４と上記各係合突条７ａとが着脱自在に係合するようにしている（図１３参照）。図１１において、８はフックピースである。
【００１７】
このようなコンパクト容器に中皿装置を収容、固定する場合には、まず、保護シート４を内側に倒伏させ（閉蓋状態にし）、その状態で、容器本体５の化粧料収容凹部５ａの上方に中皿装置を配設し、そのまま化粧料収容凹部５ａ内に押し込む（図１１および図１２参照）ことを行う。これにより、化粧料収容凹部５ａの各弾性片７の係合突条７ａと薄形容器３の各係合凸部１４とが係合し（図１３参照）、この係合で中皿装置が上方へ抜け出すのを防止できる。また、薄形容器３と金皿１との間に所定の隙間があるため、上記押し込みにおいて、容器本体５の化粧料収容凹部５ａの左右両側壁および前後両側壁を薄形容器３の各係合凸部１４が降下する際に、これら各係合凸部１４が内側に逃げることができる。
【００１８】
一方、コンパクト容器を使用する場合には、まず、蓋体６を開け、ついで、保護シート４を外側に回動させて起立させ（開蓋状態にし）、固形状化粧料２を外部に露呈させたのち、パフに付着させることを行う。また、容器本体５から中皿装置を取り外す場合には、まず、容器本体５の上方から棒状体（図示せず）を薄形容器３と金皿１との間に挿入して、薄形容器３の各舌片１３と金皿１の各凹溝１ａとの係合を解除し、ついで、そのまま棒状体を利用して金皿１を容器本体５から取り外し、そののち、薄形容器３の各係合凸部１４と容器本体５の各係合突条７ａとの係合を解除して薄形容器３を容器本体５から取り外すことを行う。
【００１９】
また、上記薄形容器３をレフィル用金皿１（詰め替え用等の金皿１）の収容容器として、上記保護シート４をレフィル用金皿１の蓋体として利用できる。この場合には、まず、図１０に示すように、レフィル用金皿１を薄形容器３に載置, 収容したのち、保護シート４を内側に倒伏させる（閉蓋状態にする）ことを行う。これにより、レフィル用金皿１の上面が保護シート４で保護される。
【００２０】
上記のように、この実施の形態では、使用時に、保護シート４を少し回動させて固形状化粧料２を外部に露呈させるだけでよいため、この起立時に、保護シート４に付着した固形状化粧料２が落下してコンパクト容器の周囲を汚すことがない。しかも、薄形容器３と保護シート４とは一連につながっているため、保護シート４を紛失することがない。しかも、薄形容器３が熱可塑性薄肉樹脂シートを用いて作製されているため、クッションの役目を果たし、金皿１を保護することができる。しかも、薄形容器３と金皿１との間に所定の隙間を設けた状態で、金皿１を薄形容器３内に収容しているため、化粧料２の打型時に金皿１の一部が膨らんでいても、金皿１を薄形容器３内に収容することができる。しかも、金皿１を収容した薄形容器３をコンパクト容器の容器本体５に収容する場合にも、薄形容器３と金皿１との間に所定の隙間を設けた状態で、金皿１を薄形容器３内に収容しているため、薄形容器３の各係合凸部１４が金皿１に当接せずに、内側に逃げることができる。したがって、容器本体５に中皿装置を取り付ける際に、容器本体５, 金皿１や薄形容器３が損傷したり、変形したりすることがない。
【００２１】
図１４および図１５は本発明の中皿装置の他の実施の形態を示している。この実施の形態では、上記実施の形態において、薄形容器３の周側壁１２に舌片１３を突設していない。したがって、金皿１の周側壁の外周面に凹溝１ａを形成していない。このため、金皿１は薄形容器３に載置, 収容した状態で、固定されていない。それ以外の部分は、図１〜図１３に示す実施の形態と同様であり、同様の部分には同じ符号を付している。この実施の形態でも、図１〜図１３に示す実施の形態と同様の作用・効果を奏する。
【００２２】
図１６および図１７は本発明の中皿装置のさらに他の実施の形態を示している。この実施の形態では、図１〜図１３に示す実施の形態において、薄形容器３の周側壁１２に係合凸部１４を突設していない。したがって、コンパクト容器の容器本体５の化粧料収容凹部５ａの周側壁の外周面に弾性片７を形成していない。この実施の形態では、薄形容器３を上記容器本体５の化粧料収容凹部５ａの底面に両面テープ（図示せず）等で固定している。それ以外の部分は、図１〜図１３に示す実施の形態と同様であり、同様の部分には同じ符号を付している。この実施の形態でも、図１〜図１３に示す実施の形態と同様の作用・効果を奏する。
【００２３】
図１８は本発明の中皿装置のさらに他の実施の形態を示している。この実施の形態では、図１〜図１３に示す実施の形態における舌片１３に代えて、凸部１６を突設している。それ以外の部分は、図１〜図１３に示す実施の形態と同様であり、同様の部分には同じ符号を付している。この実施の形態でも、図１〜図１３に示す実施の形態と同様の作用・効果を奏する。
【００２４】
なお、上記各実施の形態では、熱可塑性樹脂製薄肉シートの材料として、ＰＥＴ樹脂を用いているが、ＡＳ樹脂等、各種の熱可塑性樹脂を用いることができ、透明であることが好ましい。また、上記シートの成形方法は、真空成形以外に圧空成形等も採用することができる。また、上記薄形容器３の形状は、金皿１を収容することができるものであれば、どのような形状でもよい。
【００２５】
また、上記各実施の形態では、薄形容器３の周側壁１２の左側壁の上端面から一対の連結片４ａを介して保護シート４を延設しているが、上記周側壁１２の後側壁もしくは右側壁の上端面から一対の連結片４ａを介して延設してもよい。また、図１〜図１５および図１８に示す実施の形態では、上記薄形容器３に、係合部として、係合凸部１４を設けているが、凹部等の各種の係合部を設けることができる。また、コンパクト容器の容器本体５の化粧料収容凹部５ａに、被係合部として、係合突条７ａを有する弾性片７を設けているが、凸部, 凹部等の各種の被係合部を設けることができる。また、上記薄形容器３の係合凸部１４は、薄形容器３の周側壁１２の上端部にあっても、中間高さ部にあってもよいし、上記薄形容器３の舌片１３および凸部１６も、薄形容器３の周側壁１２の下端部にあっても、上端部にあっても、中間高さ部にあってもよい。
【図面の簡単な説明】
【００２６】
【図１】本発明の中皿装置の一実施の形態を示す斜視図である。
【図２】上記中皿装置の断面図である。
【図３】金皿の斜視図である。
【図４】上記金皿の断面図である。
【図５】薄形容器および保護シートの斜視図である。
【図６】上記薄形容器および保護シートの断面図である。
【図７】上記薄形容器および保護シートの斜視図である。
【図８】上記薄形容器の断面図である。
【図９】上記中皿装置の組み付け方法を示す斜視図である。
【図１０】上記中皿装置を組み付けた状態を示す斜視図である。
【図１１】上記中皿装置をコンパクト容器に収容する方法を示す斜視図である。
【図１２】上記中皿装置をコンパクト容器に収容する方法を示す要部の断面図である。
【図１３】上記中皿装置をコンパクト容器に収容した状態を示す要部の断面図である。
【図１４】本発明の中皿装置の他の実施の形態を示す斜視図である。
【図１５】上記中皿装置の断面図である。
【図１６】本発明の中皿装置のさらに他の実施の形態を示す斜視図である。
【図１７】上記中皿装置の断面図である。
【図１８】本発明の中皿装置のさらに他の実施の形態を示す断面図である。
【図１９】従来例を示す斜視図である。
【符号の説明】
【００２７】
１  金皿
３  薄形容器
４  保護シート
【図１】
2005118298.tif 000003
【図２】
2005118298.tif 000004
【図３】
2005118298.tif 000005
【図４】
2005118298.tif 000006
【図５】
2005118298.tif 000007
【図６】
2005118298.tif 000008
【図７】
2005118298.tif 000009
【図８】
2005118298.tif 000010
【図９】
2005118298.tif 000011
【図１０】
2005118298.tif 000012
【図１１】
2005118298.tif 000013
【図１２】
2005118298.tif 000014
【図１３】
2005118298.tif 000015
【図１４】
2005118298.tif 000016
【図１５】
2005118298.tif 000017
【図１６】
2005118298.tif 000018
【図１７】
2005118298.tif 000019
【図１８】
2005118298.tif 000020
【図１９】
2005118298.tif 000021